(57)【要約】【課題】土壌に木材腐朽菌を好適に定着可能な土壌浄化用容器、及び土壌浄化用容器−植物複合体、並びに土壌浄化方法を提供する。【解決手段】植物１０の根１１が外部に貫通可能であり生分解性材料から形成された容器本体２１及び根１１に接触可能であり容器本体２１の培地に接種された木材腐朽菌５を有する土壌浄化用容器２０と、この土壌浄化用容器２０に植え付けられた植物１０とを備え、植物１０の生育にともない、植物１０の根１１が木材腐朽菌５と接触し、さらに根１１が土壌に伸長することにより、木材腐朽菌５、５ａが土壌に定着し浄化することを特徴とする土壌浄化用容器−植物複合体１である。【選択図】  図１
2004350564.tif 000002
【特許請求の範囲】
【請求項１】
植物が植え付けられ、当該植物の根が外部に貫通可能な容器本体と、
前記植物の根に接触可能で前記容器本体に定着された木材腐朽菌とを備え、
前記植物の生育にともない、前記植物の根が前記木材腐朽菌と接触し、さらに当該根が土壌に伸長することにより、前記木材腐朽菌が土壌に定着し浄化することを特徴とする土壌浄化用容器。
【請求項２】
前記容器本体は、生分解性材料から形成されたことを特徴とする請求項１に記載の土壌浄化用容器。
【請求項３】
前記容器本体に培地を設け、当該培地に前記木材腐朽菌が接種されたことを特徴とする請求項１または請求項２に記載の土壌浄化用容器。
【請求項４】
前記木材腐朽菌は、野生株、当該野生株と他の微生物からなる混合株、細胞融合株、変異株、及び遺伝子組換株からなる群から選択された少なくとも１種であることを特徴とする請求項１から請求項３のいずれか１項に記載の土壌浄化用容器。
【請求項５】
請求項１から請求項４のいずれか１項に記載の土壌浄化用容器と、
前記土壌浄化用容器に植え付けられた植物とを備えたことを特徴とする土壌浄化用容器−植物複合体。
【請求項６】
木材腐朽菌の産生する酵素を作用させて、環境汚染物質を含有する土壌を浄化する土壌浄化方法であって、
（ａ）前記木材腐朽菌と、植物の根とを接触させる木材腐朽菌接触工程と、
（ｂ）前記植物に接触した木材腐朽菌が、前記土壌に定着する木材腐朽菌投与工程と、
（ｃ）前記定着した木材腐朽菌が、前記土壌を浄化する工程と、
を含むことを特徴とする土壌浄化方法。
【請求項７】
（Ａ）請求項５に記載の土壌浄化用容器−植物複合体を土壌に配置する土壌浄化用容器−植物複合体配置工程と、
（Ｂ）前記木材腐朽菌が、前記土壌に定着する木材腐朽菌定着工程と、
（Ｃ）前記定着した木材腐朽菌が、前記土壌を浄化する浄化工程と、
を含むことを特徴とする土壌浄化方法。
【発明の詳細な説明】
【０００１】
【発明の属する技術分野】
本発明は、環境汚染物質を含有する土壌に木材腐朽菌が産生する酵素を作用させて、土壌を浄化するときに使用される土壌浄化用容器、及び土壌浄化用容器−植物複合体、並びに土壌浄化方法に関するものである。
【０００２】
【従来の技術】
我々人類は、産業革命以来、種々の科学技術を開発し産業化を進め、豊かで快適な社会生活を営んできた。しかし、その一方で、地球規模での環境破壊が進行し、深刻な社会問題となっている。環境破壊の原因の一つには、産業活動の副産物として産出された多くの環境汚染物質があり、この環境汚染物質を除去し元の環境に修復することが、今後の極めて重要な課題となっている。
【０００３】
環境汚染物質を除去する方法としては、一般に、化学的方法、物理的方法、生物的方法が知られている。このうち、生物的方法は、最も省エネルギー且つ省資源のプロセスを有する方法であり、その一方法として、バイオレメディエーション（Ｂｉｏｒｅｍｅｄｉａｔｉｏｎ）が広く知られている。
【０００４】
バイオレメディエーションは、微生物が産生する酵素の浄化機能を巧みに利用して、環境汚染物質を分解・無害化して、最終的に二酸化炭素、メタン、水、無機塩、バイオマスなどに変換する技術である。
バイオレメディエーションを汚染土壌の浄化に適用した場合、土壌を掘削せずに建造物下の浄化が可能であること、分解活性の高い微生物を利用することにより低濃度の有機化合物なども短時間で浄化できること、低コストで環境負荷が少ないこと等の様々な利点を有しており、環境汚染物質の分解・除去技術として、注目されている。
【０００５】
バイオレメディエーションによる汚染土壌の浄化方式は、（Ａ）環境汚染物質の分解能を有する微生物を固定化して利用するバイオリアクター方式、（Ｂ）汚染された土壌や地下水中に元来生息する微生物に各種栄養物質を供給し、その分解活性を増強させるバイオスティミュレーション方式、（Ｃ）環境汚染物質の分解能を有する微生物を汚染現場に直接散布し汚染現場に導入して浄化するバイオオーグメンテーション方式、の３つに大別される。
【０００６】
このうち、現在、実用化されているバイオレメディエーションによる汚染土壌の浄化方式は、主に汚染現場に生息している微生物（分解菌）の分解活性を高める条件を付与する（Ｂ）バイオスティミュレーション方式である。ただし、（Ｂ）バイオスティミュレーション方式により環境汚染物質を分解できない場合には、外部より微生物を汚染現場に導入する（Ｃ）バイオオーグメンテーション方式を併用する場合もある。
【０００７】
このようなバイオレメディエーションでは、微生物として木材腐朽菌の利用が検討され、実用化に向けた研究か進められている。
木材腐朽菌は、種々の環境汚染物質に対して分解能を有する微生物として注目されており、天然の難分解性化合物であるリグニンの分解能の有無により、リグニンの分解能を有する白色腐朽菌と、リグニンの分解能を有しない褐色腐朽菌に分類される。リグニンの分解能の有無は、菌体外へのフェノール酸化酵素の産生の有無によるものである。フェノール酸化酵素としては、リグニンペルオキシダーゼ（ＬｉＰ）、マンガンペルオキシダーゼ（ＭｎＰ）、ラッカーゼ（ＬａＣ）などが挙げられる。
すなわち、白色腐朽菌は、フェノール酸化酵素を産生するためリグニンを分解することができるが、褐色腐朽菌は、フェノール酸化酵素を産生しないためリグニンを分解することができない。ところが、褐色腐朽菌は、種々のフェノール化合物を無機化することが知られており、また、芳香族化合物に対する分解能を有すると考えられている。
【０００８】
また、バイオレメディエーションで対象とされる環境汚染物質の一つに、ダイオキシン類が挙げられる。ダイオキシン類は、自然環境中で自然分解しにくく、非常に安定であり、ある種のものは、毒性・変異原性が強いことが知られている。
現在ではダイオキシン類を含み得る薬剤の散布は厳しく規制されているが、ゴミの焼却に伴い多量のダイオキシン類が、自然界に放出されることが明らかになり、深刻な社会問題に発展している。ダイオキシン類による土壌の汚染は、低濃度で広範囲に広がっているため、バイオレメディエーションによる浄化方式が最も適しているが、ダイオキシン類を分解できる微生物が一般土壌に分布している可能性は低く、ダイオキシン類は土壌に蓄積される場合が多く、問題となっている。
【０００９】
このような木材腐朽菌や環境汚染物質に関する研究は、多くなされており、１９８５年、Ｂｕｍｐｕｓらにより、白色腐朽菌のファネロキエーテ・クリソスポリウム（Ｐｈａｎｅｒｏｃｈａｅｔｅ・ｃｈｒｙｓｏｓｐｏｒｉｕｍ、ＢＫＭＦ−１７６７、ＡＴＣＣ−２４７２４）は、リンデンやＤＤＴ（有機塩素系殺虫剤）、ベンゾ（ａ）ピレン（多環式芳香族炭化水素の一種）、２、３、７、８−テトラクロロ−ｐ−ジオキシン（ダイオキシンの一種）、３、３’、４、４’−テトラクロロビフェニール（コプラナーポリ塩化ビフェニール（Ｃｏ−ＰＣＢ）の一種）などの難分解性化学物質を分解する可能性についての示唆が報告されている（非特許文献１参照）。
この報告をきっかけに、白色腐朽菌のファネロキエーテ・クリソスポリウムを使用した環境汚染物質の分解に関する研究が盛んとなり、現在に至っている。
さらに近年では、プジェルカンデラ属（Ｂｊｅｒｋａｎｄｅｒａ属）や、プレウロタス属（Ｐｌｅｕｒｏｔｕｓ属）などの白色腐朽菌の一部から、ＬｉＰとＭｎＰの間の特性をもつ新規酵素、マンガン−非依存性ペルオキシダーゼ（ＭｉＰ）が発見され（非特許文献２参照）、研究及びその応用は、幅広く行われている。
【００１０】
これらの研究に関連して、白色腐朽菌のリグニン分解システム及びチトクロムＰ４５０モノオキシゲナーゼなどの菌体内酵素によって分解可能な難分解性物質としては、以下のものが報告されている。
ＤＤＴ、ジコホール、メトキシクロル（非特許文献３参照）、アルドリン、デイルドリン、クロルデン（非特許文献４参照）、２、４、５−トリクロロフェノキシ酢酸（非特許文献５参照）などの農薬、ペンタルロロフェノール（非特許文献６参照）、２、４、５−トリクロロフェノール（非特許文献７参照）などのポリ塩化フェノール類、３、４、３’、４’−テトラクロロビフェニール（非特許文献１参照）などのポリ塩化ビフェニール類（ＰＣＢ）（非特許文献８参照）、２、７−ジクロロジべンゾ−Ｐ−ジオキシン（非特許文献９参照）などのダイオキシン類、２、４、６−トリニトロトルエン（非特許文献１０参照）などのニトロ化合物、３、４−ジクロロアニリン（非特許文献１１参照）などのクロロアニリン類、ベンゾ（ａ）ピレン（特許文献１２参照）、フェナントレン（非特許文献１３参照）などの多環式芳香族炭化水素、ベンゼン、トルエン、キシレン、エチルベンゼンなどの芳香族炭化水素（非特許文献１４参照）、アゾ色素（非特許文献１５参照）、トリフェニルメタン色素（非特許文献１６参照）などの染料である。
【００１１】
また、このような木材腐朽菌を利用した浄化方法について、本願発明者による「汚染土壌浄化方法」が提案されている（特許文献１参照）。
【００１２】
【特許文献１】
特開２００２−６６５３１号公報（第２頁−第５頁、第１図）
【非特許文献１】
Ｊ．Ａ．Ｂｕｍｐｕｓ  ｅｔ  ａｌ．，  Ｓｃｉｅｎｃｅ，  ２２８：１４３４−１４３６（１９８５）
【非特許文献２】
Ａ．Ｈｅｉｎｆｌｉｎｇ  ｅｔ．ａｌ．，  Ａｐｐｌ．  Ｅｎｖｉｒｏｎ．  Ｍｉｃｒｏｂｉｏｌ．，  ６４：２７８８−２７９３（１９９８）
【非特許文献３】
Ｊ．Ａ．Ｂｕｍｐｕｓ  ｅｔ  ａｌ．，  Ａｐｐｌ．  Ｅｎｖｉｒｏｎ．  Ｍｉｃｒｏｂｉｏｌ．，  ５３：２００１−２００８（１９８７）
【非特許文献４】
Ｄ．Ｗ．Ｋｅｎｎｅｄｙ  ｅｔ  ａｌ．，  Ａｐｐｌ．  Ｅｎｖｉｒｏｎ．  Ｍｉｃｒｏｂｉｏｌ．，  ５６：２３４７−２３５３（１９９０）
【非特許文献５】
Ｔ．Ｒ．Ｒｙａｎ  ｅｔ．ａｌ．，  Ａｐｐｌ．  Ｍｉｃｒｏｂｉｏｌ．  Ｂｉｏｔｅｃｈｎｏｌ．，  ３１：３０２−３０７（１９８９）
【非特許文献６】
Ｒ．Ｔ．Ｌａｒｍａｒ  ｅｔ  ａｌ．，  Ｓｏｉｌ  Ｂｉｏｌ．  Ｂｉｏｃｈｅｍ．，  ２２：４３３−４４０（１９９０）
【非特許文献７】
Ｄ．Ｋ．Ｊｏｓｈｉ  ｅｔ  ａｌ．，  Ａｐｐｌ．  Ｅｎｖｉｒｏｎ．  Ｍｉｃｒｏｂｉｏｌ．，  ５６：１７７９−１７８５（１９９３）
【非特許文献８】
Ａ．Ｚｅｄｄｅｌ  ｅｔ  ａｌ．，  Ｔｏｘｉｃｏｌ．  Ｅｎｖｉｒｏｎ．  Ｃｈｅｍ．，  ４０：２５５−２６６（１９９３）
【非特許文献９】
Ｋ．Ｖａｌｌｉ  ｅｔ  ａｌ．，  Ｊ．  Ｂａｃｔｅｒｉｏｌ．，  １７４：２１３１−２１３７（１９９２）
【非特許文献１０】
Ｔ．Ｆｅｒｎａｎｄｏ  ｅｔ  ａｌ．，  Ａｐｐｌ．  Ｅｎｖｉｒｏｎ．  Ｍｉｃｒｏｂｉｏｌ．，  ５６：１６６６−１６７１（１９９０）
【非特許文献１１】
Ｈ．Ｓａｎｄｅｒｍａｎｎ  ｅｔ  ａｌ．，  Ａｐｐｌ．  Ｅｎｖｉｒｏｎ．  Ｍｉｃｒｏｂｉｏｌ．，  ６４：３３０５−３３１２（１９９８）
【非特許文献１２】
Ｒ．Ｔ．Ｍｏｒｇａｎ  ｅｔ  ａｌ．，  Ｓｏｉｌ．  Ｂｉｏｌ．  Ｂｉｏｃｈｅｍ．，  ２５：２７９−２８７（１９９３）
【非特許文献１３】
Ｔ．Ｓ．Ｂｒｏｄｋｏｒｂ  ｅｔ  ａｌ．，  Ａｐｐｌ．  Ｅｎｖｉｒｏｎ．  Ｍｉｃｒｏｂｉｏｌ．，  ５８：３１１７−３１２１（１９９２）
【非特許文献１４】
Ｊ．Ｓ．Ｙａｄａｖ  ｅｔ  ａｌ．，  Ａｐｐｌ．  Ｅｎｖｉｒｏｎ．  Ｍｉｃｒｏｂｉｏｌ．，  ５９：７５６−７６２（１９９３）
【非特許文献１５】
Ｍ．Ｂ．Ｐａｓｔｉ−Ｇｒｉｂｓｂｙ  ｅｔ  ａｌ．，  Ａｐｐｌ．  Ｅｎｖｉｒｏｎ．  Ｍｉｃｒｏｂｉｏｌ．，  ５８：３６０５−３６１３（１９９２）
【非特許文献１６】
Ｓ．Ｂ．Ｐｏｉｎｔｉｎｇ  ｅｔ  ａｌ．，  Ｗｏｒｌｄ  Ｊ．  Ｍｉｃｒｏｂｉｏｌ．  Ｂｉｏｔｅｃｈｎｏｌ．，  １６：３１７−３１８（２０００）
【００１３】
【発明が解決しようとする課題】
しかしながら、特許文献１に開示された技術は、汚染土壌に芝草（グランドカバープランツ）を植え付けた状態で、汚染土壌に白色腐朽菌などの木材腐朽菌を投与するため、木材腐朽菌の定着が十分でないという問題が生じていた。したがって、木材腐朽菌を汚染土壌に投与しても、環境汚染物質の分解に寄与する酵素の産生及び活性は、ともに低レベルであるという問題があった。
【００１４】
そこで、本発明は、土壌に木材腐朽菌を好適に定着可能な土壌浄化用容器、及び土壌浄化用容器−植物複合体、並びに土壌浄化方法を提供することを課題とする。
【００１５】
【課題を解決するための手段】
前記課題を解決するための手段として請求項１に係る発明は、植物が植え付けられ、当該植物の根が外部に貫通可能な容器本体と、前記植物の根に接触可能で前記容器本体に定着された木材腐朽菌とを備え、前記植物の生育にともない、前記植物の根が前記木材腐朽菌と接触し、さらに当該根が土壌に伸長することにより、前記木材腐朽菌が土壌に定着し浄化することを特徴とする土壌浄化用容器である。
【００１６】
ここで、「植物の根が外部に貫通可能な容器本体」とは、植物の根が容器本体の外部に貫通可能であれば、容器本体はどのような形態であってもよく、具体的には例えば、容器本体に外部と内部を連通する貫通孔が形成された形態や、容器本体がメッシュ状で形成された形態、容器本体自体が使用により風化・腐朽し貫通可能となる形態などが挙げられる。
また、本明細書における「容器」とは、一般の容器はもちろん、樹木（植物）を移植するとき、根株の土を落とさないよう鉢巻された藁や菰で形成された包装体、すなわち根株が収容される収容体も容器とみなすこととする。
【００１７】
このような土壌浄化用容器によれば、容器本体に植え付けられた植物が生育すると、この植物の根は、木材腐朽菌に接触しながら容器本体の外部に伸び、さらに土壌浄化用容器が配置された土壌内部に伸長する。木材腐朽菌は、植物の根に接触するときに、根を被覆するように分散し、そのまま植物の生育と共に、根と一体化するようにして、土壌に分散される。
したがって、木材腐朽菌は、土壌に分散した状態で安定して好適に定着されることになる。よって、木材腐朽菌が産生する酵素により、土壌に含まれる環境汚染物質は浄化される。
【００１８】
また、本発明では、植物の種類は特に限定はされないが、地表（地面）を被覆するようにマット状に生育するグランドカバープランツ（地被植物、土壌被服植物とも呼ばれる）を使用すると、土壌に植物を容易に敷き詰め可能となり、効率的に浄化できるので好ましい。グランドカバープランツとしては、例えば、後記するケンタッキーブルーグラスなどが挙げられる。
【００１９】
請求項２に係る発明は、前記容器本体は、生分解性材料から形成されたことを特徴とする請求項１に記載の土壌浄化用容器である。
【００２０】
このような土壌浄化用容器によれば、土壌に土壌浄化用容器を配置し木材腐朽菌を土壌に定着させているうちに、容器本体自体が腐朽し、分解される。したがって、土壌の浄化後、容器本体を回収する手間を省くことができる。また、容器本体が消失してしまうことにより、植物の根は、容器本体に邪魔されにくくなり、広範囲で土壌の内部に伸びることが可能となる。
【００２１】
請求項３に係る発明は、前記容器本体に培地を設け、当該培地に前記木材腐朽菌が接種されたことを特徴とする請求項１または請求項２に記載の土壌浄化用容器である。
【００２２】
このような土壌浄化用容器よれば、木材腐朽菌は、培地で良好に培養される。したがって、培養された木材腐朽菌は、植物の根に接触しやすくなる。よって、木材腐朽菌は、土壌に好適に定着可能となる。
【００２３】
請求項４に係る発明は、前記木材腐朽菌は、野生株、当該野生株と他の微生物からなる混合株、細胞融合株、変異株、及び遺伝子組換株からなる群から選択された少なくとも１種であることを特徴とする請求項１から請求項３のいずれか１項に記載の土壌浄化用容器である。
【００２４】
このような土壌浄化用容器によれば、土壌の種類及び土壌に含有される環境物質の種類に応じて、木材腐朽菌を、野生株、当該野生株と他の微生物からなる混合株、細胞融合株、変異株、及び遺伝子組換株からなる群の中から選択された少なくとも１種とすることにより、好適に木材腐朽菌を土壌に定着させて、土壌を浄化することができる。
【００２５】
請求項５に係る発明は、請求項１から請求項４のいずれか１項に記載の土壌浄化用容器と、前記土壌浄化用容器に植え付けられた植物とを備えたことを特徴とする土壌浄化用容器−植物複合体である。
【００２６】
このような土壌浄化用容器−植物複合体によれば、そのまま土壌に配置して植物を生育させることにより、土壌に木材腐朽菌を定着させて浄化することが可能である。
【００２７】
請求項６に係る発明は、木材腐朽菌の産生する酵素を作用させて、環境汚染物質を含有する土壌を浄化する土壌浄化方法であって、（ａ）前記木材腐朽菌と、植物の根とを接触させる木材腐朽菌接触工程と、（ｂ）前記植物に接触した木材腐朽菌が、前記土壌に定着する木材腐朽菌投与工程と、（ｃ）前記定着した木材腐朽菌が、前記土壌を浄化する工程と、を含むことを特徴とする土壌浄化方法である。
【００２８】
このような土壌浄化方法によれば、木材腐朽菌が植物の根と接触し、根を被覆するように付着する。したがって、植物の生育にともなって根が生育することにより、木材腐朽菌は土壌に好適に定着可能となり、土壌を良好に浄化することができる。
【００２９】
請求項７に係る発明は、（Ａ）請求項５に記載の土壌浄化用容器−植物複合体を土壌に配置する土壌浄化用容器−植物複合体配置工程と、（Ｂ）前記木材腐朽菌が、前記土壌に定着する木材腐朽菌定着工程と、（Ｃ）前記定着した木材腐朽菌が、前記土壌を浄化する浄化工程と、を含むことを特徴とする土壌浄化方法である。
【００３０】
このような土壌浄化方法によれば、土壌に土壌浄化用容器−植物複合体を配置した後、木材腐朽菌が土壌に好適に定着することにより、土壌を良好に浄化することができる。
【００３１】
【発明の実施の形態】
以下、本発明の一実施形態について、図１から図４を適宜参照して詳細に説明する。
参照する図面において、図１は、本実施形態に係る汚染土壌浄化用容器−植物複合体の前面部を破断した全体斜視図ある。図２は、汚染土壌浄化用容器の製造工程を模式的に示す製造工程図である。図３は、汚染土壌浄化用容器−植物複合体の製造工程を模式的に示す製造工程説明図である。図４は、本実施形態に係る汚染土壌浄化方法を模式的に説明する図面である。
【００３２】
（汚染土壌浄化用容器−植物複合体）
図１に示すように、汚染土壌浄化用容器−植物複合体１（以下、「容器−植物複合体」と略称することもある）は、鉢４１と、鉢４１の中央に配置された汚染土壌浄化用容器２０（土壌浄化用容器）と、汚染土壌浄化用容器２０に植え付けられた植物１０と、木材腐朽菌５、５ａと、隙間に充填された培養土４２、４３を備えて構成されている。なお、符号５は、汚染土壌浄化用容器２０の容器本体２１に定着した木材腐朽菌、符号５ａは、植物１０の生育にともなって、その根１１に接触し分散した木材腐朽菌を示す。符号４２は、鉢４１と汚染土壌浄化用容器２０の間に敷き詰められた培養土、符号４３は汚染土壌浄化用容器２０と植物１０の間に敷き詰められた培養土を示す。
【００３３】
（汚染土壌浄化用容器）
汚染土壌浄化用容器２０は、容器本体２１と、容器本体２１の下部に定着した木材腐朽菌５を備えて構成されている。
【００３４】
容器本体２１は、後記するように、一旦、木材腐朽菌５を容器本体２１に定着させた後、植物１０を植え付けることにより、植物１０と木材腐朽菌５とを効果的に接触させるためのものである。したがって、容器本体２１の大きさ・形状は、植物１０の大きさ、浄化対象とする汚染土壌の面積等に対応して適宜変更してよく、例えば、平面型や立体型などの容器本体を使用可能であり、また、公知のポットを使用してもよい。
【００３５】
本実施形態では、無底の正四角錘の形状を呈する容器本体２１を、頂点を鉛直下向きにして使用している（図２参照）。すなわち、容器本体２１は鉛直上方が開口しており、内周面は木材腐朽菌５が定着し易いように表面が粗く、すり鉢状となっている。
また、容器本体２１の下部には、容器本体２１の内部と外部を連通する貫通孔２１ａ（図２参照）が形成されており、植設される植物１０の根１１が、貫通孔２１ａを経由して、容器本体２１の外部に容易に貫通可能となっている。
【００３６】
さらに、容器本体２１は、ピートモス等の泥炭土由来材料、ポリ乳酸、ポリカプロラクトン、ビオノーレ等の生分解性ポリマー、コンポスト、セルロース、紙類などの生分解性材料から形成されている。したがって、容器本体２１が、培養土４２、汚染土壌５０（図４参照）に配置されると、徐々に腐朽し、分解され、汚染土壌５０の浄化後、容器本体２１の回収は不要となっている。また、容器本体２１自体の分解・腐朽とともに、隙間が形成される。したがって、植物１０の根１１は、貫通孔２１ａを介してのみでなく、この隙間を経由して外部に貫通可能となっている。
【００３７】
（木材腐朽菌）
木材腐朽菌５は、容器本体２１の下部において、内側及び外側の両方で薄く層状に定着しており、さらに、植物１０の根１１にも接触し、培養土４２に広範囲で分散している。
木材腐朽菌５としては、汚染土壌５０（図４参照）に含有されるダイオキシン等の環境汚染物質を浄化可能な酵素を産生する菌であれば、本発明では特に限定されず、公知の木材腐朽菌から適宜選択して使用可能である。また、木材腐朽菌５は、後記するように、容器本体２１に塗布された培地２３に接種され、培養されたものである（図２参照）。
【００３８】
このような木材腐朽菌５のうち、白色腐朽菌としては、例えば、ファネロキエーテ・クリソスポリウム（Ｐｈａｎｅｒｏｃｈａｅｔｅ  ｃｈｒｙｓｏｓｐｏｒｉｕｍ、ＢＫＭＦ−１７６７、ＡＴＣＣ−２４７２４）、ファネロキエーテ・ソルディダ（Ｐｈａｎｅｒｏｃｈａｅｔｅ  ｓｏｒｄｉｄａ、ＩＦＯ−３１２４９）、プレウロタス・オストレアタス（Ｐｌｅｕｒｏｔｕｓ  ｏｓｔｒｅａｔｕｓ、ＩＦＯ−６５１５）（ヒラタケ）、コリオラス・ベルシカラー（Ｃｏｒｉｏｌｕｓ  ｖｅｒｓｉｃｏｌｏｒ、ＩＦＯ−３０３４０）（カワラタケ）、ブジェルカンデラ・アダスタ（Ｂｊｅｒｋａｎｄｅｒａ  ａｄｕｓｔａ、ＩＦＯ−４９８３）などが挙げられる。
褐色腐朽菌としては、例えば、タイロマイセス・パルストリス（Ｔｙｒｏｍｙｃｅｓ  ｐｌｕｓｔｒｉｓ、ＩＦＯ−３０３３９）（オオウズラタケ）、グロエオフィルラム・トラビユーム（Ｇｌｏｅｏｐｈｙｌｌｕｍ  ｔｒａｂｅｕｍ、ＡＴＣＣ−１１５３９）などが挙げられる。
【００３９】
また、木材腐朽菌５は、野生株、当該野生株と他の微生物からなる混合株、細胞融合株、変異株、及び遺伝子組換株からなる群の中から選択された少なくとも１種である。ここで、木材腐朽菌５の野生株と混合させる微生物としては、菌根菌や根粒細菌などが挙げられる。
さらに、木材腐朽菌５は、白色腐朽菌、褐色腐朽菌を、単独で使用してもよいし、または２種以上を組み合わせて使用してよい。
【００４０】
（植物）
植物１０は、その根１１に木材腐朽菌５を被覆するように分散・接触させた後、根１１に木材腐朽菌５ａが接触したまま、植物１０及びその根１１が生育することにより、汚染土壌５０（図４参照）に根１１が伸長して木材腐朽菌５を定着させるためものであり、その種類について特に限定されることはない。
本実施形態では、取扱性、木材腐朽菌５を接触・分散させる根１１の密度等を考慮して、地表を被覆するように生育するグランドカバープランツを使用している。
グランドカバープランツは、芝草の類、主に栄養繁殖するもの、主に種子繁殖するものの３つに大別される。
【００４１】
芝草の類としては、例えば、ノシバ、コウライシバ、バミューダグラス、ウィーピングラブグラス、バヒアグラス等の暖地型芝草、クリーピングベントグラス、ケンクッキーブルーグラス、トールフェスク、クリーピングレッドフェスク、ペレニアルライグラス等の寒地型芝草が挙げられる。
【００４２】
主に栄養繁殖するものとしては、アークトセカ、アジュガ、カンスゲ、ギボウシ類、シバザクラ、シャガ、シュッコンバーベナ、シラン、セキショウ、セダム類、ヒガンバナ、ヘメロカリス、ポテンティラ、マツバギク、ヤブラン、リュウノヒゲ等の草本類、アベリア、イブキジャコウソウ、イワダレソウ、コトネアスター類、ハマギク、ヒペリカム類、ルブス、カリシノイデス等の木本類、オオイタビ、テイカカズラ、ビンカ、マジョー、ビンカ  ミノール、ヘデラ類等のつる植物、クマザサ、コグマザサ、オカメザサ等のササ類が挙げられる。
【００４３】
主に種子繁殖するものとしては、クリーピングタイム、シロクローバ、ダイカンドラ、ヘアリーベッチ、バーズフットトレフォイル、ローマンカモミール等が挙げられる。
【００４４】
また、植物１０は、図１に示すように、鉢４１内で適度に生育しており、その根１１は、培養土４２内に密で伸長している。根１１の表面には、木材腐朽菌５ａが付着している。よって、木材腐朽菌５ａは、培養土４２内に広範囲で分散している。
【００４５】
（汚染土壌浄化用容器の製造方法）
ここで、汚染土壌浄化用容器２０の製造方法について、図２を参照して説明する。
汚染土壌浄化用容器の製造方法は、図２に示すように、容器本体２１に培地２３を塗布して設ける培地塗布工程と、培地２３に木材腐朽菌５を接種させる木材腐朽菌接種工程と、接種後木材腐朽菌を培養させる木材腐朽菌培養工程を含んで構成されている。
【００４６】
図２（ｃ）に示すように、容器本体２１に培地２３を塗布して設ける（培地塗布工程）。このように培地２３を設けることにより、木材腐朽菌５を短期間で培養し、容器本体２１により確実に安定して接種・定着させることが可能となる。
培地２３としては、木材腐朽菌５が良好に培養可能であれば本発明では特に限定されないが、例えば、ポテトデキストロースまたは麦芽エキス、これにグルコース、ヘプトン、酵母エキス、アスパラギン、リン酸二水素カリウム、硫酸マグネシウム、サイアミンなどを添加した培地などが挙げられる。
【００４７】
培地塗布工程と並行して別途に、図２（ａ）〜図２（ｂ）に示すように、容器本体２１に接種させる木材腐朽菌５を、予め培養させて準備しておく。
木材腐朽菌５を板状の寒天培地プレート３１に植菌した後（図２（ａ）参照）、所定時間培養することにより、木材腐朽菌植菌プレート３２が調整される（図２（ｂ）参照）。
このように木材腐朽菌５を、一旦、好適に培養可能な寒天培地プレート３１に接種し増殖した後、容器本体２１に接種することにより、より確実に容器本体２１に木材腐朽菌５を接種することができる。
【００４８】
そして、このように調整した木材腐朽菌植菌プレート３２を適宜な大きさに分割し、その一部３２ａを、容器本体２１に塗布した培地２３に接種する。その後、木材腐朽菌５が容器本体２１に定着するように、所定条件で所定時間、培養する。
培養する温度は、一般に、１０〜３７℃の範囲、好ましくは２５〜３０℃である。また、培養日数は、木材腐朽菌が充分に増殖されればよく、一般に、４〜２０日間の範囲、好ましくは、５〜１５日間である。
このような培養後、容器本体２１の下部の内側及び外側が木材腐朽菌５で覆われた汚染土壌浄化用容器２０を製造することができる（図２（ｅ）参照）。
【００４９】
（汚染土壌浄化用容器−植物複合体の製造方法）
次に、汚染土壌浄化用容器−植物複合体１の製造方法について、図３を参照して説明する。
汚染土壌浄化用容器−植物複合体の製造方法は、適宜な鉢４１等の容器に培養土４２を敷き詰め適宜な大きさの窪みを形成し、この窪みに汚染土壌浄化用容器２０を配置する汚染土壌浄化用容器配置工程（図３（ａ）参照）と、この汚染土壌浄化用容器２０に、植物１０を植え付ける植物植え付け工程（図３（ａ）参照）と、適宜散水等を行いながら植物１０を養生する植物養生工程（図３（ｂ）参照）を備えて構成されている。
なお、各工程において、形成される隙間には、培養土４２、４３を適宜充填して埋めることにより、植物１０が好適に生育可能となる。
【００５０】
培養土４２、４３としては、植物１０が良好に生育可能であれば、その種類は特に限定されない。また、培養土４２、４３には、適宜肥料、土壌改良材等を配合して、植物１０の生育を促進してもよい。
【００５１】
汚染土壌浄化用容器２０に植え付ける植物１０は、予め、別の鉢等で適宜散水しながら養生し、生育状況を管理したものであることが好ましい。
【００５２】
このように、一旦、環境汚染物質が含まれず生育しやすい培養土４２、４３で、植物１０を良好な生育条件で養生させることにより、植物１０は良好に生育することができる。植物１０の生育と共に、植物の根１１は良好に生育し、容器本体２１に定着した木材腐朽菌５に接触しながら、容器本体２１の貫通孔２１ａを経由して、外側の培養土４２中に伸長する。したがって、培養土４２中で、木材腐朽菌５は、植物１０の根１１に被覆するように接触すると共に、好適に分散した状態となる（図１参照）。このようにして、汚染土壌浄化用容器−植物複合体１は製造される。
【００５３】
（汚染土壌浄化方法）
続いて、本実施形態に係る汚染土壌浄化方法について、図４を参照して説明する。
汚染土壌浄化方法は、汚染土壌５０から所定大きさのコアを抜き取り、容器−植物複合体１が配置される配置穴５１を形成する配置穴形成工程（図４（ａ）参照）と、配置穴５１へ鉢４１を脱型した鉢４１以外の容器−植物複合体１を配置する容器−植物複合体配置工程（図４（ｂ）参照）と、植物１０が生育し木材腐朽菌５は汚染土壌５０に定着する木材腐朽菌定着工程（図４（ｃ）参照）と、汚染土壌を浄化する汚染土壌浄化工程を備えて構成されている。
【００５４】
まず、汚染土壌５０に含まれる環境汚染物質は、本発明では特に限定されないが、例えば、ＤＤＴ、ジコホール、メトキシクロル、アルドリン、ディルドリン、クロルデン、２、４、５−トリクロロフェノキシ酢酸などの農薬、トリクロロエチレン、テトラクロロエチレンなどの有機塩素化合物、ペンタルロロフェノール、２、４、５−トリクロロフェノールなどのポリ塩化フェノール類、３、４、３’、４’−テトラクロロビフェニールなどのポリ塩化ビフェニール類（ＰＣＢ）、２、７−ジクロロジベンゾ−Ｐ−ジオキシンなどのダイオキシン類、ジニトロトルエン、２、４、６−トリニトロトルエン、ニトログリセリンなどのニトロ化合物、３、４−ジクロロアニリンなどのクロロアニリン類、ナフタレン、アントラセン、ベンゾ（ａ）ピレン、フェナントレンなどの多環式芳香族炭化水素、ベンゼン、トルエン、キシレン、エチルベンゼンなどの芳香族炭化水素、環境ホルモン、アゾ色素、トリフェニルメタン色素などの染料などを挙げられる。
【００５５】
（汚染土壌）
このような環境汚染物質により汚染された汚染土壌５０としては、本発明では特に限定されず、植物１０が生育可能な環境であればいかなる土壌であってもよいが、例えば、農地（水田も含む）、焼却場周辺土壌、工場跡地、原油流出事故現場の土壌などが挙げられる。また、このような環境汚染物質に汚染されるおそれのある土壌、例えば新規に建設された焼却炉の周辺土壌などに適用してもよい。
【００５６】
（配置穴形成工程）
汚染土壌５０から適宜な手段を使用してコアを抜き取り、容器−植物複合体１に対応した大きさの配置穴５１を形成する。
【００５７】
（容器−植物複合体配置工程）
そして、配置穴５１に、鉢４１を脱型した容器−植物複合体１を埋め込み、すり込みを行う。このとき、植物１０の生育を促進するために、培養液、培地などを適宜添加してもよい。
【００５８】
（木材腐朽菌定着工程）
その後、適宜散水を実施しながら、植物１０を生育させる。植物１０の生育とともに、植物１０の根１１も生育し、根１１に付着した木材腐朽菌５ａは、汚染土壌５０に分散した状態で定着される（図４（ｃ）参照）。
すなわち、汚染土壌において、植物１０の根１１の生育面積が拡張するのに伴い、根１１に接触した木材腐朽菌５ａは、鉛直及び水平方向へ分散が進行し、汚染土壌５０に広範囲で良好に定着することができる。
【００５９】
（汚染土壌浄化工程）
そして、木材腐朽菌５、５ａの産生する酵素が、ダイオキシン等の環境汚染物質に作用し、分解する。したがって、汚染土壌５０は好適に浄化される。
【００６０】
このように本実施形態に係る汚染土壌浄化方法によれば、汚染土壌５０に木材腐朽菌５を好適に定着可能となるため、汚染土壌５０を効果的に浄化することができる。
【００６１】
【実施例】
以下、実施例に基づいて、本発明をさらに具体的に説明する。
【００６２】
（実施例）
（１）汚染土壌浄化用容器の製造
（１−１）接種用木材腐朽菌の調製
木材腐朽菌５としては、白色腐朽菌［ファネロキエーテ・クリソスポリウム（Ｐｈａｎｅｒｏｃｈａｅｔｅ  ｃｈｒｙｓｏｓｐｏｒｉｕｍ）ＢＫＭＦ−１７６７、ＡＴＣＣ−２４７２４］を使用した。白色腐朽菌は、予め、２％ポテトデキストロース（ＰＤＡ）からなる板状の寒天培地プレート３１に植菌し、２８℃で７日間培養して、菌糸状で接種用の白色腐朽菌（木材腐朽菌）植菌プレート３２を調製した（図２（ａ）、（ｂ）参照）。
【００６３】
（１−２）容器本体及び培地の塗布
容器本体２１としては、一辺の長さが５ｃｍの正方形、高さが５ｃｍの無底の四角錘を呈する容器を逆向きで使用した。また、容器本体２１は、ミズゴゲが堆積し、透水性及び保水性に優れたピートモスを主成分とする生分解性材料から形成されものを使用した。
そして、本体容器２１に、培地２３として１％麦芽エキス（Ｄｉｆｃｏ社製）を、容器本体２１の底部から２ｃｍの高さまで塗布して湿らせた。
【００６４】
（１−３）白色腐朽菌の接種・培養
そして、白色腐朽菌植菌プレート３２を、３ｍｍ×３ｍｍの大きさに分割し、容器本体２１の下部に接種した。その後、２８℃で７日間培養し、容器本体２１の下部から約２ｃｍの高さまで、外側も内側も白色腐朽菌（木材腐朽菌）に覆われた汚染土壌浄化用容器２０を製造した。
【００６５】
（２）汚染土壌浄化用容器−植物複合体の製造
（２−１）ケンタッキーブルーグラス（植物）
植物１０としては、寒地型芝草の一種であるケンクッキーブルーグラスを使用した。ケンタッキーブルーグラスは、予め、鉢に入れた培養土に、ケンタッキーブルーグラスを植え付け、適宜散水しながら２週間養生し、生育状況を調整したものを使用した。
【００６６】
（２−２）ケンタッキーブルーグラスの植え付け
そして、適宜な大きさの鉢４１に培養土４２を敷き詰め、培養土４２に窪みを形成し、その上に汚染土壌浄化用容器２０を載せた。その後、別途準備したケンタッキーブルーグラスを、その生育土壌から直径４．５ｃｍ、深さ４．５ｃｍの大きさのコアで抜き取り、汚染土壌浄化用容器２０に植え付けて、すり込みを行った。このすり込みの際、形成された隙間には、適宜、培養土４３を充填し埋めた。
その後、適宜散水しながら養生して、汚染土壌浄化用容器−ケンタッキーブルーグラス（植物）複合体１を製造した。
【００６７】
（３）汚染土壌への汚染土壌浄化用容器−ケンタッキーブルーグラス複合体の植え付け
（３−１）汚染土壌
汚染土壌５０としては、焼却灰と一般の土壌を混合して、ダイオキシンが含有されるダイオキシン汚染模擬土壌を調整した。ダイオキシン汚染模擬土壌に含まれるダイオキシン濃度は、１００（ｐｇ−ＴＥＱ／ｇ）である。なお、「ＴＥＱ」とは、毒性等量あり、ダイオキシン類の量を、ダイオキシン類の中で最強の毒性を有する２、３、７、８−四塩化ジベンゾパラジオキシンの量に換算した量として表すことを示す記号である。
【００６８】
（３−２）植え付け
そして、ダイオキシン汚染模擬土壌から適宜な大きさのコアを抜き取り配置穴５１を形成し、汚染土壌浄化用容器−ケンタッキーブルーグラス複合体を植え付けた。植え付ける際に形成された隙間は、適宜、培養土を充填し埋めた。
【００６９】
このような状態で、適宜散水しながらケンタッキーブルーグラスを養生し、生育させるとともに、白色腐朽菌をダイオキシン汚染模擬土壌に定着させた。そして、白色腐朽菌が産生する酵素により、汚染土壌を浄化した。
【００７０】
（４）評価
（４−１）ケンタッキーブルーグラス及び白色腐朽菌の生育挙動の観察
汚染土壌浄化用容器−ケンタッキーブルーグラス複合体を、ダイオキシン汚染模擬土壌に植え付けた２週間後と４週間後に掘り起こし、ケンタッキーブルーグラス及び白色腐朽菌の生育状況を、目視により観察し評価した。これと並行して、顕微鏡観察による生育状況の評価も行った。
【００７１】
（４−２）白色腐朽菌が産生する酵素活性の評価
白色腐朽菌が産生する酵素活性は、色素評価法により評価した。色素評価法とは、酵素の活性を色素により評価する方法であり、色素溶液と色素表を使用した。
【００７２】
（４−２−１）色素溶液
色素溶液は、１Ｌ当り、グルコースを１０ｇ、ＭｇＳＯ４を０．５ｇ、ＫＨ２ＰＯ４を２ｇ、ＣａＣｌ２を１００ｍｇ、微量元素溶液を１０ｍＬ、緩衝剤として２０ｍＭの酢酸ナトリウム（ｐＨ４．５）を含む溶液にフェノールレッド溶液（２ｇ／１００ｍＬ溶液）を１ｍＬ添加した緩衝剤を残部として調製した。色素溶液１Ｌ当りの配合を表１に示す。
なお、ここで微量元素溶液とは、１Ｌあたり、ＭｇＳＯ４を３ｇ、ＭｎＳＯ４を０．５ｇ、ＮａＣｌを１．０ｇ、ＦｅＳＯ４・７Ｈ２Ｏを０．１ｇ、ＣｏＣｌ２を０．１ｇ、ＺｎＳＯ４・７Ｈ２Ｏを０．１ｇ、ＣｕＳＯ４を０．１ｇ、ＡＬＫ（ＳＯ４）２・１２Ｈ２Ｏを１０ｍｇ、Ｈ３ＢＯ３を１０ｍｇ、Ｎａ２ＭｏＯ４・２Ｈ２Ｏを１０ｍｇ及びニトリロ三酢酸塩を１．５ｇを、蒸留水を溶媒として調整した溶液である。微小元素溶液１Ｌ当りの配合を表２に示す。
【００７３】
【表１】
2004350564.tif 000003
【００７４】
【表２】
2004350564.tif 000004
【００７５】
（４−２−２）色素表
色素表は、ます、Ｎｏ．１からＮｏ．１４に対応して、黄色から深紅まで１４色を配列し、カラーモードＲＧＢを用いて、Ｎｏ．１からＮｏ．１０については、配合比を、レッドを１００、ブルーを２０に固定し、グリーンを０〜１００に１０ずつ変化させてＮｏ．１〜１１の色を作製した。Ｎｏ．１４からＮｏ．１４ついては、グリーンを０、ブルーを２０に固定し、レッドを９０、８０、７０に変化させてＮｏ．１２〜１４の色を作製した。Ｎｏ．１〜Ｎｏ．１４について、配合比を表３に示す。なお、表３において、白色腐朽菌が産生する酵素の活性が高いほど、Ｎｏ．１４よりの色素を呈する。
【００７６】
【表３】
2004350564.tif 000005
【００７７】
（４−２−３）評価手順
実施例を配置し白色腐朽菌を接種後、２週間経過した土壌から所定量の土壌を採取した。そして、これを、色素溶液を３ｍＬ注いだ１５ｍＬ遠心チューブの中に添加した後、３０秒間、振動させて混合した。混合後、表３に示す色素表を用いて、色素溶液の色変化を観察し、色変化により、白色腐朽菌が産生した酵素の活性を求めた。
【００７８】
（比較例）
比較例として、汚染土壌浄化用容器２０を使用せずに、以下に説明する白色菌含培養床をダイオキシン汚染模擬土壌に設けた配置穴５１に充填した。
【００７９】
（１）白色腐朽菌含有培養床の製造
５００ｍＬ三角フラスコに、川砂１００ｇ、タテヤマユーキ５ｇを投入し、そして、グルコース・ペプトンの５％（ｗｔ／ｖｏｌ）溶液２５ｍＬを注入して滅菌し、培養床を作製した。その後、この培養床に、実施例で作製した白色腐朽菌植菌プレート３２（ＰＤＡ寒天培地）を植菌し、その後、２５℃で２週間培養して、白色腐朽菌含有培養床を調製した。
【００８０】
（２）土壌への白色腐朽菌含有培養土の投与
このように調整した白色腐朽菌含有培養床を、実施例と同様、ダイオキシン汚染模擬土壌に、直接散布してすり込みを行い、実施例と同様に、白色腐朽菌の生育挙動と酵素活性の評価を行った。
【００８１】
（３）その他
また、汚染土壌浄化用容器−ケンタッキーブルーグラス複合体、白色腐朽菌含有培養床は、ダイオキシン汚染模擬土壌の他に、ローム土にも適用し、白色腐朽菌の生育挙動と酵素活性の評価を行った。
【００８２】
（生育挙動評価結果）
汚染土壌浄化用容器を使用した実施例では、ダイオキシン汚染模擬土壌、ローム土の両者において、ケンタッキーブルーグラスの根は良好に成育し、その根に絡んだ状態で土壌に広範囲に定着した白色腐朽菌を観察できた。一方、汚染土壌浄化用容器を使用せず、白色腐朽菌含有培養床を使用した比較例では、白色腐朽菌は、ダイオキシン汚染模擬土壌、ローム土のどちらにおいても、十分に定着していないことが観察された。
したがって、汚染土壌浄化用容器−ケンクッキーブルーグラス複合体を使用することにより、汚染土壌に白色腐朽菌が好適に定着可能であることが確認された。
【００８３】
（色素評価法による評価結果）
実施例を配置したダイオキシン汚染模擬土壌から採取した土壌からは、表３に示す色素表において、Ｎｏ．１０の色を示した。一方、比較例を投与した土壌は、色素表におけるＮｏ．４、Ｎｏ．５を示した。
したがって、実施例を投与したダイオキシン汚染模擬土壌に含まれる白色腐朽菌から産生された酵素の活性は、比較例に対して高いことがわかった。よって、汚染土壌浄化用容器、汚染土壌浄化用容器−ケンタッキーブルーグラス複合体を使用することにより、好適に酵素を産生するとともに、酵素の活性化を促進する環境を整備することが可能であることを確認された。
【００８４】
また、実施例において使用したピートモスを主原料とする容器本体２１は、１ケ月経過後にかなり破損しており、土壌環境への負荷が小さいことも確認された。
【００８５】
以上、本発明の好適な実施形態について一例を説明したが、本発明は前記実施形態に限定されず、本発明の趣旨を逸脱しない範囲で、例えば以下のような適宜変更が可能である。
【００８６】
前記した実施形態では、木材腐朽菌を容器本体に定着させ、これに植物を植え付け、植物の根に木材腐朽菌を接触させて、汚染土壌に定着させるとしたが、その他に例えば、汚染土壌に所定大きさの穴を形成し、（１）この穴に木材腐朽菌を添加した後に植物を植え付ける方法、または（２）植物の根に添加したのち植物を植え付ける方法を使用して、木材腐朽菌を汚染土壌に定着させてもよい。
【００８７】
前記した実施形態では、汚染土壌の被覆性、取扱性等を考慮して、植物としてグランドカバープランツを使用したが、その他に例えば、ツツジ等の植木などを使用してもよい。
【００８８】
前記した実施形態では、汚染土壌浄化用容器−植物複合体１は、鉢４１、培養土４２、４３を備えた構成としたが、その他に例えば、これらを備えず、植物１０が直接、汚染土壌浄化用容器２０に植え付けられたことにより、汚染土壌浄化用容器−植物複合体が構成されてもよい。
【００８９】
【発明の効果】
本発明によれば、木材腐朽菌を好適に土壌に定着可能な土壌浄化用容器、及び土壌浄化用容器−植物複合体、並びに土壌浄化方法を提供することができる。
【図面の簡単な説明】
【図１】本実施形態に係る汚染土壌浄化用容器−植物複合体の一部を破断した全体斜視図ある
【図２】（ａ）〜（ｅ）は、汚染土壌浄化用容器の製造工程を模式的に示す製造工程図である。
【図３】（ａ）〜（ｃ）は、汚染土壌浄化用容器−植物複合体の製造工程を模式的に示す製造工程説明図である。
【図４】（ａ）〜（ｃ）は、本実施形態に係る汚染土壌浄化方法を模式的に説明する図面である。
【符号の説明】
１        汚染土壌浄化用容器−植物複合体
５、５ａ  木材腐朽菌
１０      植物
１１      根
２０      汚染土壌浄化用容器
２１      容器本体
２３      培地
３１      寒天培地プレート
３２、３２ａ  木材腐朽菌植菌プレート
４１      鉢
４２、４３  培養土
５０      汚染土壌
５１      配置穴
【図１】
2004350564.tif 000006
【図２】
2004350564.tif 000007
【図３】
2004350564.tif 000008
【図４】
2004350564.tif 000009